(57)【特許請求の範囲】
【請求項１】
駆動モータの支軸に取り付けられ吸引口から吸引した空気を放出口から放出させる送風ファンと、前記送風ファンと同軸に取り付けられ回転することで、処理室に貯水された水を汲み上げ飛散させる回転体と、前記回転体と共に回転し該回転体から飛散した水がぶつかって破砕することで、ナノミストとマイナスイオンを発生させる多孔体とを備え、この発生したナノミストとマイナスイオンを前記送風ファンの送風で放出口から室内に放出するようにしたものに於いて、前記駆動モータを処理室下方に備えると共に、支軸を処理室底部から貯水面より上方に立設した支持部を貫通させて設け、この支持部と支軸との間には支持部と接するパッキンと支軸と接する金属製の軸スペーサとを備えると共に、該軸スペーサと接する支軸全周には下方に向かって徐々に細くなる三角形状の切り欠きを設け、この切り欠きと軸スペーサとで形成される貯留室内に潤滑油を貯留させ、支軸の回転により潤滑油が、三角形状の切り欠きの頂部に引き寄せられ、そして引き寄せられた潤滑油は軸スペーサにぶつけられ、勢いをなくして落下するが、再び三角形の昇り傾斜に沿って引き寄せられ、支軸の駆動時は順次この循環を繰り返すようにした事を特徴とするナノミストとマイナスイオン発生装置。
【発明の詳細な説明】
【技術分野】
【０００１】
この発明は、水の破砕によって発生する自然界で発生するものと同様なナノミストとマイナスイオンを室内に供給して空気を清浄にするナノミストとマイナスイオン発生装置に関するものである。
【背景技術】
【０００２】
従来よりこの種のものでは、駆動モータに送風ファンと回転体とを回転自在に取り付けて、回転させることによりナノミスト状の霧を発生させて室内を良好に加湿しようとするものであり、又駆動モータはコンパクト化や器具の重心の問題から、水を貯水する処理室の底部に備えられるものであった。
【先行技術文献】
【特許文献】
【０００３】
【特許文献１】特許第３７５７８８９号公報
【発明の概要】
【発明が解決しようとする課題】
【０００４】
ところでこの従来のものでは、処理室底部に備えられた駆動モータの支軸が、該処理室を貫通してその先端に送風ファンや回転体、多孔体を備えているので、回転体や多孔体の回転により、処理室内から吸い上げられ飛散する水滴が、支軸と処理室底部から立設した支持部との隙間から侵入し、駆動モータに達して該駆動モータをショートさせてしまうと言う課題を有するものであった。
【課題を解決するための手段】
【０００５】
この発明はこの点に着目し上記課題を解決する為、特にその構成を、駆動モータの支軸に取り付けられ吸引口から吸引した空気を放出口から放出させる送風ファンと、前記送風ファンと同軸に取り付けられ回転することで、処理室に貯水された水を汲み上げ飛散させる回転体と、前記回転体と共に回転し該回転体から飛散した水がぶつかって破砕することで、ナノミストとマイナスイオンを発生させる多孔体とを備え、この発生したナノミストとマイナスイオンを前記送風ファンの送風で放出口から室内に放出するようにしたものに於いて、前記駆動モータを処理室下方に備えると共に、支軸を処理室底部から貯水面より上方に立設した支持部を貫通させて設け、この支持部と支軸との間には支持部と接するパッキンと支軸と接する金属製の軸スペーサとを備えると共に、該軸スペーサと接する支軸全周には下方に向かって徐々に細くなる三角形状の切り欠きを設け、この切り欠きと軸スペーサとで形成される貯留室内に潤滑油を貯留させ、支軸の回転により潤滑油が、三角形状の切り欠きの頂部に引き寄せられ、そして引き寄せられた潤滑油は軸スペーサにぶつけられ、勢いをなくして落下するが、再び三角形の昇り傾斜に沿って引き寄せられ、支軸の駆動時は順次この循環を繰り返すようにしたものである。
【発明の効果】
【０００６】
以上のようにこの発明によれば、貯留室内の潤滑油が支軸自身の周速度の違いによる吸引力で、三角形状の切り欠きの頂部に引き寄せられ、そして引き寄せられた潤滑油は軸スペーサにぶつけられ、勢いをなくして落下するが、再び三角形の昇り傾斜に沿って引き寄せられ、支軸の駆動時は順次この循環を繰り返すことで、常に支軸と軸スペーサとの間には潤滑油が流れていて、隙間が出来ることがなく、駆動モータのショートや破損は長期に渡って阻止出来、安心して使用出来るものである。
【０００７】
更に水分子付加マイナスイオン分子群が直接肌等に作用し、又肺から吸引されたマイナスイオンは血液中に入り、その還元作用で血液の酸化を阻止しアルカリ性の血液サラサラ状態とすると共に、その循環を良くし、末梢血管まで血液を行き渡らせることにより、痛みや懲りを緩和することができるものと考えられ、又マイナスイオンには、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものである。
【図面の簡単な説明】
【０００８】
【図１】この発明の一実施形態を示すナノミストとマイナスイオン発生装置の概略構成図。
【図２】同要部説明図。
【図３】同電気回路図。
【発明を実施するための形態】
【０００９】
次にこの発明の一実施形態を図面に基づいて説明する。
１はナノミストとマイナスイオン発生装置で、内方中央部には凹状の処理室２が形成され、この処理室２にはカートリッジ式の給水タンク（図示せず）からの給水が供給され、落差方式で所定水位で水を貯水するものである。
【００１０】
３は前記処理室２の下方に備えられた駆動モータで、支軸４を処理室２底部から貯水面上方まで立設した支持部５を水密に貫通させ、この支軸４の上端には細い縦羽根を複数並設し円状としたシロッコファンから成る送風ファン６が設けられ、回転することによって、器具背面上部の吸引口７から室内空気を吸引し、処理室２内に上部から垂下して送風ファン６を覆った空気案内筒８内に流入して、送風ファン６に吸引された後に、空気案内筒８下端と水面との隙間から該空気案内筒８と処理室２との流通隙間９を上昇し、器具前面上部の放出口１０から室内に放出する送風経路１１を形成しているものである。
【００１１】
１２は前記送風ファン６と同軸に取り付けられ回転することで、処理室２に貯水された水を汲み上げ、上端の複数の飛散穴１３から外方に飛散させる下端に向かって徐々に小径となる擂り鉢状の回転体で、この回転体１２の上部外周には飛散した水がぶつかって破砕することで、ナノミストとマイナスイオンを発生させるスリット、パンチングメタル、金網等から成る多孔体１４が、飛散穴１３と対向する位置に垂下して備えられている。
【００１２】
前記駆動モータ３の支軸４と支持部５との間には、支持部５と接する断面略Ｓ字状のゴム製のパッキン１５と、該パッキン１５と支軸４との間に挿入された断面逆Ｌ字状で金属からなる軸スペーサ１６とを備え、更にこの軸スペーサ１６と対向する支軸４全周には、下方に向かって徐々に細くなる三角形状の切り欠き１７を設け、この切り欠き１７と軸スペーサ１６とで形成される貯留室１８内には潤滑油１９を貯留するものである。
【００１３】
２０は駆動モータ３の下に備えた保管タンクで、電動開閉弁２１を途中に設けた連絡パイプ２２を介して処理室２と連通し、運転停止時の自動清掃運転時には、制御回路２３からの信号で電動開閉弁２１を開成して、処理室２内の貯水を保管タンク２０へ移して該処理室２を空の状態にするものである。
【００１４】
前記制御回路２３は、運転停止スイッチ２４からの信号で、駆動モータ３の駆動を停止させて運転停止するが、これと同時に制御回路２３内のタイマ手段２５が駆動開始して自動的に清掃運転に入るもので、所定時間ここでは５分間のカウントを行うが、この間に前記したように処理室２内を空の状態として、駆動モータ３を再駆動させ送風ファン６及び回転体１２及び多孔体１４を回転させて付着している水を切るものであり、又これと同時に吸引口７近傍に備えられた気化用ヒータ２６にもタイマ手段２５を介して通電され、回転している送風ファン６の給気で温風となって、送風ファン６及び多孔体１４、回転体１２、処理室２と順に送風されることで、これらの湿気をなくして乾燥させて、カビや雑菌の発生を阻止して常に清潔な状態から運転開始出来るように自動的な清掃運転を行うようにしたものである。
【００１５】
次にこの一実施形態の作動について説明する。
今運転が開始されれば、制御回路２３を介して駆動モータ３が駆動開始し、これにより支軸４を介して送風ファン６が回転して吸引口７から室内空気が吸引され、又これと同時に同軸の回転体１２も回転して、処理室２に貯水されている水を回転による遠心力で汲み上げ、飛散穴１３から外周に飛散させることで多孔体１４にぶつかり、そして多孔体１４の全周壁に形成した多数のスリットや金網やパンチングメタル等を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものである。
【００１６】
そしてここに前記した送風ファン６で給気された室内空気が送風され、ナノミストを含んで空気案内筒８下端と水面との隙間から該空気案内筒８と処理室２との流通隙間９を上昇する段階で、大粒の水滴は水中に落下してナノサイズのミストのみが流通隙間８を上昇し、又送風中のマイナスイオンも同時に放出口１０から室内に放出されるものである。
【００１７】
そしてこれにより、水分子付加マイナスイオン分子群が直接肌等に作用し、又肺から吸引されたマイナスイオンは血液中に入り、その還元作用で血液の酸化を阻止しアルカリ性の血液サラサラ状態とすると共に、その循環を良くし、末梢血管まで血液を行き渡らせることにより、痛みや懲りを緩和することができるものと考えられ、又マイナスイオンには、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものである。
【００１８】
一方駆動モータ３の駆動により支軸４を介して回転する送風ファン６や回転体１２や多孔体１４により、飛散する水滴が支軸４や支持部５にも付着し、ここを伝って駆動モータ３に侵入及び滴下しようとするが、ここでは貯留室１８内の潤滑油１９が支軸４自身の半径差からくる周速度の違いによる吸引力で、三角形状の切り欠き１７の頂部に引き寄せられ、そして引き寄せられた潤滑油１９は軸スペーサ１６にぶつけられ、勢いをなくして落下するが、再び三角形の昇り傾斜に沿って引き寄せられ、支軸４の駆動時は順次この循環を繰り返すことで、常に支軸４と軸スペーサ１６との間には潤滑油１９が流れていて、隙間が出来ることがなく、水滴の漏れによる駆動モータ３のショートや破損は長期に渡って阻止出来、安心して使用出来るものである。
【００１９】
更に回転駆動する支軸４と、それを支持する軸スペーサ１６との間には、前記したように引き寄せられたり落下する潤滑油１９が位置し、支軸４の駆動は滑らかでスムーズに行われるものであり、又この潤滑油１９は周速度の相違により自然循環しているので、摩擦による温度上昇の心配がなく、潤滑油本来の潤滑が常に得られるものである。
【符号の説明】
【００２０】
１  ナノミストとマイナスイオン発生装置
２  処理室
３  駆動モータ
４  支軸
５  支持部
６  送風ファン
７  吸引口
１５  パッキン
１６  軸スペーサ
１７  切り欠き
１８  貯留室
１９  潤滑油
【図１】
0005524802.tif 000002
【図２】
0005524802.tif 000003
【図３】
0005524802.tif 000004